(57)【要約】この発明は、移動通信端末機で商品を注文する方法及びシステムに関するものであって、この発明によるシステムは、プロキシサーバとアドレス接続サーバを備え、移動通信端末機から送信される商品コードを含む商品購入メッセージをプロキシサーバで受信して、プロキシサーバは、アドレス接続サーバに商品コードに対応するＵＲＬを要請し、アドレス接続サーバは、ＵＲＬ情報をプロキシサーバに提供して移動通信端末機は商品コードに該当する商品を販売するウェブサイトに接続する。この発明による方法及びシステムによると、使用者が商品販売ウェブサイトを移動通信端末機を通して手動で検索する必要がないので、使用者のウェブサイト検索時間を低減でき、商品コードを入力した後にウェブブラウザが駆動されて商品販売サイトが表示されるので無線インターネットに接続した後に商品を購入する従来の場合よりインターネット使用時間が短くなるので移動通信使用料金を低減できる。
2005517247.tif 000002
【特許請求の範囲】
【請求項１】
移動通信端末機を利用してインターネットサイトから商品を注文するシステムにおいて、
前記移動通信端末機から使用者が入力した商品コードを含む商品購入メッセージを受信して前記商品コードに対応する商品を販売するウェブサイトの場所を特定するＵＲＬを要請するアドレス接続要請メッセージを生成するプロキシサーバと、
前記プロキシサーバから前記アドレス接続要請メッセージを受信し、結合されているデータベースから前記商品コードに該当するＵＲＬを検索し、そのＵＲＬを含むアドレス接続応答メッセージを前記プロキシサーバに送信するアドレス接続サーバとを備え、
前記プロキシサーバは、前記アドレス接続応答メッセージに含まれたＵＲＬを有するウェブサイト情報を前記移動通信端末機に提供することを特徴とするシステム。
【請求項２】
前記商品管理サーバと結合された販売者端末機から、販売者の特定ＵＲＬに対する商品コード生成要請情報を受信して商品コード生成要請メッセージを生成し、その結果を前記販売者端末機に送信する商品管理サーバと、
前記商品管理サーバから前記商品コード生成要請メッセージを受信して前記販売者の前記特定ＵＲＬに対応する商品コードを生成し、生成された商品コードを含む商品コード生成応答メッセージを前記商品管理サーバに送信するアドレス登録サーバとをさらに備えることを特徴とする請求項１に記載のシステム。
【請求項３】
前記商品管理サーバの要請により前記商品コードの生成が行なわれる場合、前記アドレス登録サーバは、生成された商品コードを前記データベースに登録することを要請するアドレス登録要請メッセージを前記アドレス接続サーバに送信し、前記アドレス接続サーバは、前記生成された商品コードを前記データベースに登録することを特徴とする請求項２に記載のシステム。
【請求項４】
前記プロキシサーバは、
受信したメッセージの種類を分類するコード分析モジュールと、
前記受信したメッセージを処理するためのメッセージを生成して該当サーバに送信するメッセージ送信モジュールと、
無線インターネット接続を要請するメッセージが受信される場合に該当メニューを提供するメニュー提供モジュールと、
前記移動通信端末機と前記プロキシサーバの接続状態を持続させる接続持続モジュールとを備えることを特徴とする請求項１に記載の移動通信端末機を利用した商品注文システム。
【請求項５】
前記アドレス接続サーバは、
受信したメッセージの種類を分類するコード分析モジュールと、
前記プロキシサーバから前記アドレス接続要請メッセージを受信する場合、データベースを検索して前記アドレス接続要請メッセージに含まれた商品コードとＵＲＬをマッピングさせるマッピングモジュールと、
前記アドレス登録サーバから前記アドレス登録要請メッセージを受信する場合、前記アドレス登録サーバに含まれた商品コード及びＵＲＬを前記データベースに格納するデータベース管理モジュールと、
前記アドレス接続応答メッセージ及び前記アドレス登録要請メッセージに応答してアドレス登録応答メッセージを生成して前記プロキシサーバ及び前記アドレス登録サーバに送信するメッセージ送信モジュールとを備えることを特徴とする請求項２に記載のシステム。
【請求項６】
前記商品管理サーバは、
販売者が商品を販売するウェブサイトのＵＲＬに対応する商品コードを要請できるように販売者にウェブページを提供するウェブページ管理モジュールと、
前記販売者から入力される商品情報を管理する商品管理モジュールと、
前記アドレス登録サーバから商品コード生成応答メッセージを受信して生成されたコード情報を前記販売者に提供するコード情報提供モジュールと、
商品コードの生成を要請する商品コード生成要請メッセージを生成して前記アドレス登録サーバに送信するメッセージ送信モジュールとを備えることを特徴とする請求項２に記載のシステム。
【請求項７】
前記商品購入メッセージは、商品注文であることを識別するための注文コード、商品コード、及び注文をした使用者を識別するための使用者インデックスを含むことを特徴とする請求項１に記載のシステム。
【請求項８】
前記注文コードは、数字ドメインであることを特徴とする請求項７に記載のシステム。
【請求項９】
前記注文コードは、数字ドメイン及び区分コードを含むことを特徴とする請求項８に記載のシステム。
【請求項１０】
前記商品は、物品及びコンテンツのうちいずれか一つであることを特徴とする請求項１に記載のシステム。
【請求項１１】
前記アドレス接続要請メッセージは、
アドレス接続要請メッセージであることを識別するための識別子、前記商品購入メッセージに含まれている商品コード、及び、注文をした使用者を識別するための使用者インデックスを含むことを特徴とする請求項１に記載のシステム。
【請求項１２】
前記アドレス接続応答メッセージは、
アドレス接続応答メッセージであることを識別するための識別子、前記アドレス接続要請メッセージに含まれた商品コードに対応するＵＲＬ、及び注文をした使用者を識別するための使用者インデックスを含むことを特徴とする請求項１に記載のシステム。
【請求項１３】
前記アドレス登録要請メッセージは、
アドレス登録要請メッセージであることを識別するための識別子、販売者が前記商品管理サーバに入力したＵＲＬ、前記アドレス登録サーバで前記販売者が入力したＵＲＬに応答して生成された商品コード、及び販売者を識別するための販売者インデックスを含むことを特徴とする請求項３に記載のシステム。
【請求項１４】
前記商品コード生成要請メッセージは、
商品コード生成要請メッセージであることを識別するための識別子、販売者が入力したＵＲＬ、及び販売者を識別するための販売者インデックスを含むことを特徴とする請求項２に記載のシステム。
【請求項１５】
前記商品コード生成応答メッセージは、
商品コード生成応答メッセージであることを識別するための識別子、前記アドレス登録サーバで生成した商品コード、及び販売者を識別するためのインデックスを含むことを特徴とする請求項２に記載のシステム。
【請求項１６】
前記商品購入メッセージは、
特定事業者を特定するための事業者区分コードをさらに含むことを特徴とする請求項１に記載のシステム。
【請求項１７】
移動通信端末機とウェブサイトとの間で情報を伝達するプロキシサーバと前記プロキシサーバと結合されたアドレス接続サーバとを備えているシステムにおける、移動通信端末機を利用してインターネットサイトから商品を注文する方法において、
使用者が移動通信端末機に入力する商品コードを含む商品購入メッセージを受信する段階と、
前記商品コードに対応するＵＲＬを要請するアドレス接続要請メッセージを前記アドレス接続サーバに送信する段階と、
前記プロキシサーバから前記アドレス接続要請メッセージを受信した場合、前記アドレス接続サーバに結合されたデータベースを検索して前記アドレス接続要請メッセージに含まれた商品コードに対応するＵＲＬをマッピングしてそのＵＲＬを含むアドレス接続応答メッセージを前記プロキシサーバに送信する段階と、
前記アドレス接続応答メッセージに含まれたＵＲＬを含むウェブサイト情報を前記移動通信端末機に送信する段階とを備えることを特徴とする方法。
【請求項１８】
前記商品購入メッセージは、商品注文であることを識別するための注文コード、使用者が入力した商品コード及び注文をした使用者を識別するための使用者インデックスを含むことを特徴とする請求項１７に記載の方法。
【請求項１９】
前記アドレス接続要請メッセージは、
前記アドレス接続要請メッセージであることを分類するための識別子、前記商品購入メッセージに含まれている商品コード、及び注文をした使用者を識別するための使用者インデックスを含むことを特徴とする請求項１７に記載の方法。
【請求項２０】
前記アドレス接続応答メッセージは、
前記アドレス接続応答メッセージであることを分類するための識別子、前記アドレス接続応答メッセージに含まれた商品コードに対応するＵＲＬ、及び注文をした使用者を識別するための使用者インデックスを含むことを特徴とする請求項１６に記載の方法。
【請求項２１】
無線インターネットに接続して無線インターネットサービスを提供する移動通信端末機において、
使用者が移動通信端末機に商品コードを入力して商品注文を注文する場合、注文コード、商品コード及び使用者インデックスを含む商品購入メッセージを生成して無線インターネットのプロキシサーバに送信する手段と、
前記使用者の商品注文要請を検知してウェブブラウザを駆動させて前記プロキシサーバから受信した情報を表示する手段とを備えることを特徴とする移動通信端末機。
【請求項２２】
前記メッセージを生成及び伝達する手段は、商品購入ボタンを備えており、前記使用者が商品コードを入力して前記商品購入ボタンを押す場合、前記注文コードを使用者が入力しなくても、前記メッセージを生成及び伝達する手段が前記注文コードを含む前記商品購入メッセージを生成することを特徴とする請求項２１に記載の移動通信端末機。
【請求項２３】
前記移動端末機がＰＤＡである場合、前記商品購入ボタンは、前記移動通信端末機の画面に表示されるアイコンであることを特徴とする請求項２１に記載の移動通信端末機。
【発明の詳細な説明】
【技術分野】
【０００１】
この発明は、移動通信端末機を利用した商品注文方法及びシステムに関し、さらに詳細には、無線インターネットの商品販売サイトに接続して、該当商品を移動通信端末機を用いて直接に注文するようにするシステム及び方法に関する。
【背景技術】
【０００２】
移動通信サービス及びインターネットサービスが活性化されることによって既存の有線でインターネットに接続する方法のみでなく、インターネット上に存在するサイトにＩＰアドレスを通して接続して情報を受信できる移動通信端末機が開発されている。特に、近年では動画像のような大容量のデータを高速で伝達するＩＭＴ−２０００がこのようなサービスを提供すべく準備中である。実際に、大部分の使用者がこのような移動通信端末機を介してインターネット網に頻繁に接続することがより一層多くなると予測される。
【発明の開示】
【発明が解決しようとする課題】
【０００３】
移動通信端末機を介してインターネットサービスを利用する方法は次の通りである。移動通信端末機には無線ウェブブラウザが実装されており、インターネットサイトに接続しようとする場合、そのウェブブラウザを駆動してインターネットに接続した後、該当サイトのＵＲＬを入力するか、ＵＲＬに対応する数字を入力して該当サイトに接続する。移動通信端末機を介して電子商取引サービスを利用する場合も多くあるが、この場合にも使用者は商品を購入するためには、まずウェブブラウザを駆動し、その後に該当サイトのＵＲＬを入力しなければならなかった。しかし、移動通信端末機のキーパッドでＵＲＬのように複雑な文字の組合せを入力することは困難で不便である。そのため、商品購入にあまりにも多くの時間が必要となり、通信使用料金もたくさん賦課されてしまう。
【０００４】
この発明では、前記のような従来技術の問題点を解決するために、移動通信端末機を介して無線インターネット網に接続して商品を購入する時間を節減できる方法及びシステムを提案することに目的がある。
【０００５】
この発明のもう一つの目的は、各商品に指定された商品コードを移動通信端末機で入力して前記商品コードに対応する商品販売サイトに直接接続できる、移動通信端末機を利用した商品の注文方法及びシステムを提案することである。
【０００６】
この発明のもう一つの目的は、商品コードを入力したら直ちにウェブブラウザを駆動させて移動通信端末機の使用料金を節減できる移動通信端末機を利用した商品注文方法及びシステムを提案することである。より詳細には、ウェブブラウザは、インターネット接続ボタンまたは移動通信端末機に具備された別途の商品購入ボタンを押すことにより起動される。
【課題を解決するための手段】
【０００７】
前記した目的を達成するために、この発明による移動通信端末機を利用した商品注文システムは、前記移動通信端末機から使用者が入力した商品コード情報を含む商品購入メッセージを受信して前記商品コードに対応する商品を販売するサイトのＵＲＬアドレス情報を要請するアドレス接続要請メッセージを生成するプロキシサーバ、及び前記プロキシサーバから前記アドレス接続要請メッセージを受信して結合されているデータベースから前記商品コードに該当するＵＲＬ情報を検索し、検索結果をアドレス接続応答メッセージを通して前記プロキシサーバに送信するアドレス接続サーバを含み、前記プロキシサーバは、前記アドレス接続応答メッセージに含まれたＵＲＬを有するウェブサイト情報を前記移動通信端末機に伝達する。
【０００８】
そのシステムは、販売者端末機と結合されて販売者の特定ＵＲＬに対する商品コード生成要請情報を受信して商品コード生成要請メッセージを生成し、その結果を販売者に送信する商品管理サーバ、及び前記商品管理サーバから商品コード生成要請メッセージを受信して販売者が入力したＵＲＬに対応する商品コードを生成し、生成された商品コードを含む商品コード生成応答メッセージを前記商品管理サーバに送信するアドレス登録サーバをさらに含む。
【０００９】
前記アドレス登録サーバは、商品管理サーバの要請により商品コードを生成する場合、生成された商品コードを前記データベースに登録することを要請するアドレス登録要請メッセージを前記アドレス接続サーバに送信し、前記アドレス接続サーバは、前記生成された商品コードを前記データベースに登録する。
【００１０】
前記プロキシサーバは、受信したメッセージの種類を分類するコード分析モジュールと、前記受信したメッセージを処理するためのメッセージを生成しこれを該当サーバに送信するメッセージ送信モジュールと、無線インターネット接続を要請するメッセージが受信される場合、該当メニューを提供するメニュー提供モジュールと、及び前記移動通信端末機と前記プロキシサーバの接続状態を持続させる接続持続モジュールとを含む。
【００１１】
前記アドレス接続サーバは、受信したメッセージの種類を分類するコード分析モジュールと、前記プロキシサーバから前記アドレス接続要請メッセージを受信する場合、データベースを検索して前記アドレス接続要請メッセージに含まれた商品コードとＵＲＬをマッピングさせるマッピングモジュールと、前記アドレス登録サーバから前記アドレス登録要請メッセージを受信する場合、前記アドレス登録サーバに含まれた商品コード及びＵＲＬを前記データベースに格納するデータベース管理モジュールと、及び前記アドレス接続応答メッセージ及び前記アドレス登録要請メッセージに対するアドレス登録応答メッセージを生成して前記プロキシサーバ及び前記アドレス登録サーバに送信するメッセージ送信モジュールとを含む。
【００１２】
前記商品管理サーバは、販売者が商品を販売するウェブサイトのＵＲＬ情報に対応する商品コードを要請できるように販売者にウェブページを提供するウェブページ管理モジュールと、前記販売者から入力される商品情報を管理する商品情報管理モジュールと、前記アドレス登録サーバから商品コード生成応答メッセージを受信し生成されたコード情報を前記販売者に提供するコード情報提供モジュールと、及び商品コードの生成を要請する商品コード生成要請メッセージを生成して前記アドレス登録サーバに送信するメッセージ送信モジュールとを含む。
【００１３】
前記商品購入メッセージは、商品コードを入力による商品注文であることを識別できるようにする注文コード、使用者が入力した商品コード及び注文をした使用者を識別するための使用者インデックスを含む。
【００１４】
前記アドレス接続要請メッセージは、アドレス接続要請メッセージであることを分類するための識別子、前記商品購入メッセージに含まれている商品コード、注文をした使用者を識別するための使用者インデックスを含む。
【００１５】
前記アドレス接続応答メッセージは、アドレス接続応答メッセージであることを分類するための識別子、前記アドレス接続要請メッセージに含まれた商品コードに対応するＵＲＬ及び注文をした使用者を識別するための使用者インデックスを含む。
【００１６】
前記アドレス登録要請メッセージは、アドレス登録要請メッセージであることを分類するための識別子、販売者が前記商品管理サーバに入力したＵＲＬ、前記アドレス登録サーバで前記販売者が入力したＵＲＬに対応するように生成した商品コード及び販売者を識別するための販売者インデックスを含む。
【００１７】
前記商品コード生成要請メッセージは、商品コード生成要請メッセージであることを分類するための識別子、販売者が入力したＵＲＬ、販売者を識別するための販売者インデックスを含む。
【００１８】
前記商品コード生成応答メッセージは、商品コード生成応答メッセージであることを分類するための識別子、前記アドレス登録サーバで生成した商品コード、販売者を識別するためのインデックスを含。
【００１９】
また、この発明に係る移動通信端末機を利用した商品注文方法は、移動通信端末機とウェブサイトとの間で情報を伝達するプロキシサーバと、前記プロキシサーバと結合されたアドレス接続サーバとを具備しているシステムを利用して移動通信端末機を通して商品を注文する方法において、使用者が移動通信端末機を介して入力する商品コード情報を含む商品購入メッセージを受信する段階と、前記商品コードに対応するＵＲＬ情報を要請するアドレス接続要請メッセージを前記アドレス接続サーバに送信する段階と、前記アドレス接続要請メッセージを受信したとき、アドレス接続サーバでデータベースを検索して前記アドレス接続要請メッセージに含まれた商品コードに対応するＵＲＬ情報をマッピングして前記ＵＲＬ情報をアドレス接続応答メッセージに含ませて前記プロキシサーバに送信する段階と、前記アドレス接続応答メッセージを受信したプロキシサーバが前記アドレス接続応答メッセージに含まれたＵＲＬに該当するウェブサイト情報を前記移動通信端末機に伝達する段階とを含む。
【００２０】
また、この発明は無線インターネット網に接続して無線インターネットサービスを提供する移動通信端末機を提供する。その移動通信端末機は、使用者が移動通信端末機に商品コードを入力して商品注文を要請する場合、注文コード、商品コード及び使用者インデックスを含む商品購入メッセージを生成して無線インターネット網のプロキシサーバに伝達する手段、及び前記使用者の商品コード入力による商品注文要請を検知したときに、ウェブブラウザを駆動させて前記プロキシサーバから受信した情報を表示する手段とを含む。
【発明を実施するための最良の形態】
【００２１】
以下では添付する図面を参照してこの発明に係る移動通信端末機を利用した商品の注文方法及びシステムの好ましい実施例を詳細に説明する。この発明は、音声またはデータを送受信するために全部または一部の無線区間を含む通信網に適用可能であるが、この明細書では説明の便宜のために現在商用化された移動通信網（例えば、ＰＣＳ及びセルラー通信網）を例に挙げて説明する。しかし、この発明の属する分野の当業者であるならば、この発明を多様な形態の無線通信網に適用できることはもちろんのことである。また、この明細書では、購入対象を商品で表現したが、有形の財貨である商品のみでなく、無形のコンテンツ（例えば、有料の株式情報、サイバーキャラクター、動画像等）も商品として購入対象になることはもちろんのことである。
【００２２】
図１は、この発明の好ましい実施例に係る移動通信端末機を利用した商品注文システムのブロック図である。図１に示されているように、この発明の好ましい実施例に係る商品注文システムは、移動通信網に具備される基地局１０２、基地局制御機１０４、移動通信交換機１０６と、インターネット網に具備されるプロキシサーバ１１０、アドレス接続サーバ１１２、アドレスデータベース１１４、アドレス登録サーバ１１６、商品管理サーバ１１８及びドメインネームサーバ１２０（ＤＮＳ）と、インターネット網と移動通信網との間に存在する網整合装置１０８を含む。
【００２３】
移動通信端末機１００は、使用者が入力する商品コード情報を含む商品購入メッセージを移動通信網に送信する機能をする。移動通信端末機１００は、インターネットに接続した後、商品を販売するウェブサイトから提供された情報を表示する無線ウェブブラウザを含んでいる。この発明の一実施例によると、使用者は移動通信端末機１００に購入しようとする商品の商品コードと商品注文であることを報せる注文コードを入力することによって、商品注文要請を移動通信端末機に入力する。移動通信端末機は、使用者が入力した注文コードと商品コードを利用して商品購入メッセージを生成してこれを基地局に送信する。ここで、移動通信端末機１００は、インターネット接続ボタンまたは商品購入ボタンをさらに具備できる。したがって、前記インターネット接続ボタンが使用者により選択される場合、ウェブブラウザが駆動されと同時に商品購入メッセージが移動通信網に送信できる。また、商品コードが入力された後、商品購入ボタンが使用者により選択される場合、商品購入メッセージが別途のウェブブラウザ駆動過程なしに直接移動通信網に送信されることができる。
【００２４】
図５は、この発明の好ましい実施例に係る移動通信端末機によって生成される商品購入メッセージのパケット構造を示す。図５に示されているように、商品購入メッセージは、注文コード５００、商品コード５０２、使用者インデックス情報５０４を含む。
【００２５】
注文コード５００は、直接に商品の購入サイトに接続することを要請するためのコードである。プロキシサーバ１１０は、商品購入メッセージに含まれた注文コード５００によって商品購入要請に関するメッセージであることを把握する。商品コードは、各商品に付与された固有のコードであり、使用者は、ＴＶ、インターネット、カタログなど多様な媒体から商品コード情報を入手することができる。使用者インデックス情報５０４は、商品購入メッセージを送信した使用者を識別するための情報である。この発明の一実施例では、使用者の移動端末の電話番号を使用者インデックス情報で使用することができる。しかし、電話番号の他に他の使用者情報を使用者インデックス情報で活用できるということは当業者において明らかである。
【００２６】
基地局１０２は、移動通信端末機１０２から受信した商品購入メッセージを基地局制御機１０４に送信し、基地局制御機１０４は、これをまた移動通信交換機１０６に送信する。移動通信交換機１０６は、受信した商品購入メッセージのメッセージパケットを分析して無線インターネット網に送信しなければならないメッセージであることを把握し、これを網整合装置１０８に送信する。網整合装置１０８は、無線通信網とインターネット網との間に位置して両網のゲートウェイとしての機能をする。具体的に、網整合装置１０８は、移動通信網からインターネット網へ接続する場合、移動通信プロトコルとデータプロトコルとの間のプロトコル整合を行う。プロキシサーバ１１０は、移動通信端末機１００からのメッセージを分析してこれを該当処理サーバに送信する機能をする。移動通信端末機１００からのメッセージには商品購入メッセージの他にも一般的な無線インターネット接続を要請するメッセージ、電子メールを要請するメッセージなどがあり得る。プロキシサーバ１１０は、受信される多様なメッセージのパケットを分析してこれを関連したサーバに伝達するものである。商品購入メッセージを受信したとき、プロキシサーバ１１０は、メッセージに含まれた注文コードを通して商品購入を要請するメッセージであることを把握する。商品購入メッセージであることが把握されると、プロキシサーバ１１０は、商品コードに該当する無線インターネットアドレス情報を伝達することを要請するアドレス接続要請メッセージをアドレス接続サーバ１１２に送信する。
【００２７】
図６は、この発明の好ましい実施例に係るアドレス接続要請メッセージのパケット構造を示す。図６に示されているように、アドレス接続要請メッセージは、アドレス接続要請識別子６００、商品コード６０２及び使用者インデックス情報６０４を含む。
【００２８】
アドレス接続要請識別子６００は、アドレス接続要請メッセージを識別するためのコードであって、これはあらかじめ決められた方式により設定される。商品コード６０２は、商品購入メッセージに含まれており、どの商品コードに対して無線インターネットアドレス情報が要請されているかを特定するためのものである。使用者インデックス情報６０４は、商品購入メッセージに含まれた使用者インデックス情報と同様に使用者を識別するための情報であり、前述したように、使用者電話番号が使用者インデックスとして用いることができる。
【００２９】
アドレス接続サーバ１１２は、前記プロキシサーバ１１０からアドレス接続要請メッセージを受信すると、そのメッセージに含まれた商品コードに対応するＵＲＬ情報をプロキシサーバ１１０に提供する。また、アドレス接続サーバ１１２は、図１に示されているように、アドレスデータベース１１４と結合されており、アドレス登録サーバ１１６からアドレス登録要請メッセージを受信して特定商品に対する商品コードと該当ＵＲＬを前記アドレスデータベース１１４に格納させる。アドレス接続サーバ１１２は、アドレス接続要請メッセージに含まれた商品コード情報を利用して該当商品コードがアドレスデータベース１１４に格納されているか検索し、商品コードがアドレスデータベース１１４に格納されている場合、それに対応するＵＲＬ情報を含むアドレス連結応答メッセージをプロキシサーバ１１０に送信する。
【００３０】
図７は、この発明の好ましい実施例に係るアドレス接続応答メッセージのパケット構造を示す図面である。図７に示されているように、この発明の一実施例に係るアドレス接続応答メッセージは、アドレス接続応答識別子７００、ＵＲＬ７０２及び使用者インデックス情報７０４を含む。
【００３１】
アドレス接続応答識別子７００は、アドレス接続応答メッセージを識別するためのコードであって、これはあらかじめ決められた方式により設定される。ＵＲＬ７０２は、アドレス接続要請メッセージに含まれた商品コードに対応するＵＲＬ情報であって、アドレス接続サーバ１１２のデータベースマッチング処理で算出される情報である。使用者インデックス情報６０４は、商品購入メッセージに含まれた使用者インデックス情報と同様に使用者を識別するための情報であり、前述したように、使用者電話番号が使用者インデックスで用いられることができる。プロキシサーバ１１０は使用者インデックス情報に基づいて、どのアドレス接続要請メッセージに対する応答メッセージであるかを把握する。
【００３２】
アドレス登録サーバ１１６は、商品管理サーバから商品コード生成要請メッセージを受信する場合、該当商品に対する商品コードを生成し、生成された商品コードを前記アドレスデータベース１１４に登録するためにアドレス登録要請メッセージを前記アドレス接続サーバ１１２に送信する。販売者が商品管理サーバ１１８を通して販売する商品に対する商品コード生成を要請すると、該当情報は、商品コード生成要請メッセージを通してアドレス登録サーバ１１６に送信される。アドレス登録サーバ１１６は、該当商品に対する商品コードを生成した後、アドレス接続サーバにアドレス登録要請メッセージを送信することによって、生成された商品コードに対する登録を要請する。
【００３３】
図８は、この発明の好ましい実施例に係るアドレス登録要請メッセージのパケット構造を示す図面である。図８に示されているように、この発明の一実施例に係るアドレス登録要請メッセージは、アドレス登録要請識別子８００、ＵＲＬ８０２、商品コード８０４、データベースインデックス８０６及び販売者インデックス８０８を含む。
【００３４】
アドレス登録要請識別子８００は、アドレス登録要請メッセージを識別するためのコードであって、これはあらかじめ決められた方式により設定される。アドレス接続サーバ１１２は、アドレス登録要請識別子により受信したメッセージがアドレス登録を要請するメッセージであることを確認する。ＵＲＬ８０２は、販売者が商品コード要請時に商品管理サーバによって生成される商品コードに対応する。商品コード８０４は、アドレス登録サーバ１１６で生成され、アドレス接続サーバは、商品登録要請メッセージの中にその商品コードを前記ＵＲＬと対応させてアドレスデータベース１１４に格納する。データベースインデックス８０６は、商品コード及びＵＲＬがアドレスデータベース１１４に格納される時、その商品コード及びＵＲＬが格納された領域を識別するためのインデックスである。商品コードやＵＲＬが複雑な数字や文字の組合せからなる場合が多いので、情報の検索が容易となるように、別途のインデックスを付与することが好ましい。データベースインデックスは、アドレス登録を要請した販売者にも提供できる。販売者インデックス８０８は、アドレス登録を要請する販売者を識別するためのインデックスである。
【００３５】
アドレス登録サーバ１１６は、アドレス登録要請に対応するアドレス登録応答メッセージをアドレス接続サーバ１１２から受信する。アドレス登録応答メッセージは、要請されたアドレスが登録されたかを確認するためのものである。
【００３６】
図９は、この発明の好ましい実施例に係るアドレス登録応答メッセージのパケット構成を示す。図９に示されているように、アドレス登録応答メッセージは、アドレス登録応答識別子９００、確認コード９０２及びデータベースインデックス９０４を含む。
【００３７】
アドレス登録応答識別子９００は、アドレス登録応答メッセージを識別するためのコードであって、これはあらかじめ決められた方式により設定される。アドレス登録サーバ１１２は、アドレス登録応答識別子により受信したメッセージがアドレス登録応答メッセージであることを把握する。確認コード９０２は、アドレス登録の結果が成功か失敗かを示すコードであって、これは運営者側で任意に設定することができる。
【００３８】
商品管理サーバ１１８は、販売者から商品の登録及び商品コード要請情報を受信すると、これをアドレス登録サーバに転送し、アドレス登録サーバで生成した商品コードを販売者に提供する。具体的には、販売者は、商品管理サーバ１１８に商品の登録及び商品コードの生成を要請する。図１には、販売者が有線インターネットで商品管理サーバに接続する構成を示したが、ＰＣ以外の他のインターネット接続手段を通して商品管理サーバ１１８に接続できるということは当業者において明らかである。
【００３９】
図１０は、この発明の好ましい実施例に係る商品コード生成要請メッセージのパケット構成を示す。図１０に示されているように、商品コード生成要請メッセージは、商品コード生成要請識別子１０００、ＵＲＬ１００２、データベース識別子１００４及び販売者インデックス１００６を含む。
【００４０】
商品コード生成要請識別子１０００は、商品コード生成要請メッセージを識別するためのコードであって、これはあらかじめ決められた方式により設定される。アドレス登録サーバ１１４は、商品コード生成要請識別子１０００に基づいて、受信したメッセージが商品登録及びコード生成を要請するメッセージであることを把握する。ＵＲＬ１００２は、商品登録及びコード生成を要請した販売者によって入力されたＵＲＬであって、そのＵＲＬ１００２で該当商品の無線インターネット取引（トランザクション）がなされる。データベース識別子１００４は、前述したように、データベースに格納されているＵＲＬの領域を識別するためのインデックスである。販売者インデックス１００６は、商品登録要請をする販売者を識別するためのインデックスである。商品管理サーバにログオンした販売者のＩＤを販売者インデックスとして使用することができる。住民登録番号のような他の販売者識別情報を販売者インデックスとして使用することができるということは当業者において明らかである。
【００４１】
アドレス登録サーバ１１６は、生成したコード及びＵＲＬがアドレスデータベースに成功的に登録されたことをアドレス登録応答メッセージを通して確認すると、商品コード生成応答メッセージを商品管理サーバ１１８に送信して、生成されたコード情報を販売者に提供する。
【００４２】
図１１は、この発明の好ましい実施例に係る商品コード生成応答メッセージのパケット構成を示す。図１１に示されているように、商品コード生成応答メッセージは、商品コード生成応答識別子１１００、商品コード１１０２、データベースインデックス１１０４及び販売者インデックス１１０６を含む。
【００４３】
商品コード生成応答識別子１１００は、商品コード生成応答メッセージを識別するためのコードであって、これはあらかじめ決められた方式により設定される。データベースインデックス１１０４及び販売者インデックス１１０６は、商品コード生成要請メッセージのデータベースインデックス１００４及び販売者インデックス１００６と同様であり、商品コード１１０２は商品管理サーバ１１８の要請に従ってアドレス登録サーバ１１６によって生成される。
【００４４】
図２は、この発明の好ましい実施例に係るプロキシサーバのブロック図である。図２に示されているように、プロキシサーバ１１０は、コード分析モジュール２００、メニュー提供モジュール２０２、メッセージ送信モジュール２０４及び接続持続モジュール２０６を含む。
【００４５】
コード分析モジュールは、プロキシサーバ１１０に受信されるメッセージの種類を分類する。プロキシサーバには、ウェブサイト接続を要請するメッセージ、商品購入を要請するメッセージ、電子メール照会を要請するメッセージなど多様なメッセージが届くので、コード分析モジュール２００は、このようなメッセージの識別子を分析してメッセージの種類を分類する。商品購入メッセージの場合、注文コードがメッセージパケット前段にあるので、コード分析モジュールはその注文コードに基づいて該当商品のサイトへの接続を要請するメッセージであることを把握する。
【００４６】
メニュー提供モジュール２０２は、使用者が商品購入サイト接続を要請する場合ではなく、一般的な無線インターネット接続を要請した場合に、該当メニューを提供する。したがって、メニュー提供モジュール２０２は、この発明と直接的な関連があるのではないが、一般的なプロキシサーバの動作のために必要なモジュールである。メニュー提供モジュール２０２は、受信したメッセージが一般的な無線インターネット接続を要請したメッセージであることを前記コード分析モジュールが確認した場合にのみ動作し、それ以外のときにはメニュー提供モジュール２０２は動作しない。
【００４７】
メッセージ送信モジュール２０４は、受信したメッセージを処理するためのメッセージを生成しこれを該当サーバに送信する。受信したメッセージが商品購入メッセージであることをコード分析モジュール２００が確認すると、メッセージ送信モジュール２０４は、アドレス接続要請メッセージを生成しこれをアドレス接続サーバ１１２に送信する。また使用者がＵＲＬを入力して一般的なウェブサイトへの接続を要請した場合、メッセージ送信モジュール２０４は、そのＵＲＬに対するＩＰアドレスのマッピングを要請するメッセージをＤＮＳ１２０に送信する。接続持続モジュール２０６は、使用者の移動通信端末機１００とプロキシサーバ１１０との接続状態を持続させる。
【００４８】
図３は、この発明の好ましい一実施例に係るアドレス接続サーバのブロック図である。図３に示されているように、アドレス接続サーバは、メッセージ送信モジュール３００、マッピングモジュール３０２、データベース管理モジュール３０４及びコード分析モジュール３０６を含む。
【００４９】
コード分析モジュール３０６は、アドレス接続サーバ１１２に受信されるメッセージパケットを分類。コード分析モジュール３０６は、プロキシサーバのコード分析モジュールと同様に、受信したメッセージパケットの識別子を分析して、メッセージの種類を分類する。アドレス接続サーバ１１２に受信されるメッセージには、プロキシサーバ１１０からのアドレス接続要請メッセージとアドレス登録サーバ１１６からのアドレス登録要請メッセージがある。
【００５０】
マッピングモジュール３０２は、プロキシサーバ１１０からＵＲＬを含むアドレス接続要請メッセージを受信した場合、データベースを用いて商品コードとＵＲＬのマッピング（goods code-to-URL mapping ）を行う。
【００５１】
データベース管理モジュール３０４は、アドレス接続サーバ１１２と結合されているアドレスデータベース１１４に格納されている情報を更新する。アドレス登録サーバからアドレス登録要請メッセージを受信した場合、データベース管理モジュール３０４は、該当アドレスをアドレスデータベース１１４に格納する。
【００５２】
メッセージ送信モジュール３００は、要請されたメッセージを処理または応答するためのメッセージを生成してそれを該当サーバに送信する。具体的に、プロキシサーバからアドレス接続要請メッセージを受信した場合、メッセージ送信モジュール３００は、マッピングモジュールのマッピング結果に従ってアドレス接続応答メッセージをプロキシサーバ１１０に送信する。また、商品登録要請メッセージをアドレス登録サーバ１１６から受信した場合、メッセージ送信モジュール３００は、データベースに要請された情報が格納されたことが確認されると、商品登録応答メッセージを生成してアドレス登録サーバ１１６に送信する。
【００５３】
図４は、この発明の好ましい実施例に係る商品管理サーバのブロック図である。図４に示されているように、商品管理サーバ１１８は、ウェブページ管理モジュール４００、商品情報管理モジュール４０２、コード情報提供モジュール４０４及びメッセージ送信モジュール４０６を含む。ウェブページ管理モジュール４００は、販売者が商品管理サーバに接続してコード生成及び登録を要請した場合、販売者にウェブページ情報を送信する。商品情報管理モジュール４０２は、商品管理サーバに接続した使用者が入力した商品情報や販売者情報を内部データベースに格納してそれを管理する。
【００５４】
コード情報提供モジュール４０４は、アドレス登録サーバ１１６から商品コード生成応答メッセージが受信されるかを調べ、コード情報を販売者に提供する。コード情報提供モジュール４０４は、受信されたメッセージ内の識別子を使用してそのメッセージを把握し、そのメッセージに含まれたコード情報を販売者に提供する。コード情報は、ウェブサイトに接続している販売者の端末に表示して提供する他にも、電子メール、ショートメッセージサービス（ＳＭＳ）、あるいは別途のプログラムモジュールによって提供することもできる。
【００５５】
メッセージ送信モジュール４０６は、販売者がコード生成を要請した場合、商品コード生成要請メッセージを生成してこれをアドレス登録サーバ１１６に送信する。
図１２は、この発明の好ましい実施例に係る移動通信端末機を利用した商品注文方法示すフローチャートである。
【００５６】
使用者が購入しようとする商品の商品コードと該当商品サイトの直接接続を要請する注文コードを移動通信端末機に入力すると、移動通信端末機１００は、商品購入メッセージを生成してこれをプロキシサーバ１１０に送信する（Ｓ１２００）。
【００５７】
プロキシサーバ１１０は、受信したメッセージが注文コードを含む商品購入メッセージであることを把握し、アドレス接続サーバにその商品コードに該当するＵＲＬ情報を要請するアドレス接続要請メッセージを送信する（Ｓ１２０２）。
【００５８】
アドレス接続サーバ１１２は、アドレス登録サーバとの通信を通して、その商品コードに対応するＵＲＬを検索し、そのＵＲＬをアドレス接続応答メッセージを通してプロキシサーバ１１０に送信する（Ｓ１２０４）。
【００５９】
プロキシサーバ１１０は、アドレス接続サーバから受信した商品購入サイトのＵＲＬをＤＮＳ１２０に伝送してそのＵＲＬに対応する実際ＩＰアドレスを要請する（Ｓ１２０６）。
【００６０】
そのＵＲＬに該当するＩＰアドレスが取得されると、プロキシサーバは商品コードに該当する商品購入サイトと使用者の移動通信端末機を接続し、移動通信端末機のウェブブラウザによって、該当商品購入サイトが表示される（Ｓ１２０８）。
【００６１】
商品購入サイトが表示されると、使用者はキー入力を通して注文数などの注文情報をウェブサイトに送信する（Ｓ１２１０）。
注文情報の送信に引き続き、配送情報及び決済情報がウェブサイトに送信される（Ｓ１２１２）。
【００６２】
配送情報は、（ａ）手入力、（ｂ）個人情報管理システム（ＰＩＭＳ）から選択、（ｃ）あらかじめ登録した注文者情報から選択、（ｃ）以前注文処理された履歴情報から選択、（ｄ）現在位置に基づいて概略的なアドレス情報を抽出した後詳細な情報を入力する方法などの多様な方式で入力することができる。
【００６３】
決済は、（ａ）クレジットカード、（ｂ）後払い小額決済（移動通信料金に統合課金）、（ｃ）仮想口座に基づいた電話番号を通した支払い、（ｄ）ネットワーク上で利用可能な電子マネー、（ｄ）端末機ネットワークで利用可能な電子マネーなど多様な方式でなされることができる。
【００６４】
したがって、この発明によると、使用者は注文コードと商品コードで商品購入を要請するので、インターネット接続後に該当サイトを見てまわる（surfing)従来の取引に比べて、商品の注文に要する通話料金が少ない。また、この発明はＭＳＭＢ（Ｍｉｃｒｏｓｏｆｔ  Ｍｏｂｉｌｅ  Ｂｒｏｗｓｅｒ）及びＷＡＰを用いた一般的な無線インターネット接続方式にも適用できる。
【００６５】
図１３は、この発明の好ましい実施例に係る移動通信端末機の動作を示すフローチャートである。図１３に示されているように、移動通信端末機は、使用者から注文コード及び商品コードを受ける（Ｓ１３００）。注文コード及び商品コードは、一定の数字体系を使用して具現することができる。例えば、注文コードは「００」であり、商品コードは「５６７８９」のような形態になることができる。
【００６６】
他の実施例では、注文コードは、数字ドメインと区分コードで構成されることができる。例えば、注文コードが「０１６＊」である場合、「０１６」はＫＴフリーテル（Ｋｏｒｅａ  Ｔｅｌｅｃｏｍ  Ｆｒｅｅｔｅｌ）に割り当てられた数字ドメインであり、「＊」は区分コードになることができる。ここで、区分コードは、０１６ドメインに続いて商品コードが含まれるということを示すものであって、文字、数字、特殊記号の組合せ、例えば、「＃＃，＠９９，…」である。
【００６７】
商品コードとともに事業者区分コードが用いられることができる。事業者区分コードは、特定事業者にコードを付与することであり、例えば、ＣＪ３９テレビホームショッピング事業者（Ｃｈｅｉｌ  Ｊｅｄａｎｇ  Ｃｏｒｐｏｒａｔｉｏｎ  支局）に「３９」という別途のコードを付与することである。プロキシサーバは、メッセージが事業者区分コードとして「３９」を含む場合、そのメッセージがＣＪ３９テレビホームショッピング事業者の商品購入を要請しているということを把握する。使用者は、例えば、「００５６７８９」のように注文コードと商品コード及び接続要請信号を共に入力して商品購入要請情報を入力できる。
【００６８】
この発明のもう一つの好ましい実施例によると、移動通信端末機に別途の商品購入ボタンが具備されている場合、商品コードのみを入力し（例：「５６７８９」）そして購入ボタンを押すだけで商品購入要請情報を入力することもできる。ＰＤＡの場合、該当商品購入ボタンはアイコンとして具現することができる。
【００６９】
使用者の注文コード及び商品コード入力情報を受信すると、移動通信端末機は、注文コードと商品コードと使用者インデックス情報を含んでいる商品購入メッセージを生成し、これをプロキシサーバ１１０に送信する（Ｓ１３０２）。
【００７０】
商品購入メッセージの送信は、移動通信端末機に実装されている無線ウェブブラウザが駆動され起動しているときに行なわれる（Ｓ１３０４）。すなわち、この発明では、使用者は、移動通信端末機のウェブブラウザを駆動させて無線インターネット網に接続した後に商品を購入するのではなく、まず商品コード及び注文コードを入力し、それからウェブサイトへの接続を要請する。
【００７１】
商品コードに該当するＵＲＬアドレスを取得すると、プロキシサーバ１１０は、ウェブサイトと移動通信端末機との接続をセットアップし、これにより、移動通信端末機には入力した商品コードに該当する商品販売サイトが表示される（Ｓ１３０６）。
【００７２】
使用者が移動通信端末機に注文数量、配送情報及び決済情報を入力すると、移動通信端末機はこれらの情報をウェブサイトに送信する（Ｓ１３０８）。
図１４は、この発明の好ましい実施例に係るプロキシサーバの動作を示すフローチャートである。図１４にはプロキシサーバが商品購入メッセージを受信して本発明に係る手続きを行なう場合のみを示したものであって、プロキシサーバの他の一般的な動作は示されていない。図１４に示されているように、まずプロキシサーバ１１０は、移動通信端末機から送信される商品購入メッセージを受信する（Ｓ１４００）。プロキシサーバは、メッセージに含まれた識別子を分析して、そのメッセージに注文コードが含まれているか否かを判断する（Ｓ１４０２）。注文コード以外の他の識別子が含まれている場合には、プロキシサーバは受信したメッセージに該当する他のインターネット接続手続きを行なう（Ｓ１４０４）。
【００７３】
受信したメッセージに注文コードが含まれていれば、プロキシサーバ１１０は、商品購入メッセージに含まれた商品コードを見つけ、その商品コードに該当するＵＲＬを要請するアドレス接続要請メッセージを送信する（Ｓ１４０６）。プロキシサーバ１１０は、アドレス接続サーバ１１２からアドレス接続応答メッセージを受信し、メッセージパケットを分析してその商品コードに該当するＵＲＬを見つける（Ｓ１４０８）。ＵＲＬが見つかると、プロキシサーバ１１０は、ＤＮＳ１２０にそのＵＲＬに該当するＩＰアドレスをマッピングすることを要請する（Ｓ１４１０）。ＤＮＳ１２０がそのＵＲＬにＩＰアドレスをマッピングすると、プロキシサーバ１１０は、使用者移動通信端末機とウェブサイトとの接続をセットアップし、使用者のキー入力により商品購入手続きが開始される（Ｓ１４１２）。
【００７４】
図１５は、この発明の好ましい実施例に係るアドレス接続サーバの動作を示すフローチャートである。アドレス接続サーバ１１２は、アドレス登録サーバからアドレス登録要請メッセージを受信する（Ｓ１５００）。前述したように、アドレス登録要請メッセージには販売者が入力したＵＲＬとそのＵＲＬに対応する商品コード情報が含まれている。
【００７５】
前記アドレス登録要請メッセージを受信すると、アドレス接続サーバは、結合されているアドレスデータベース１１４にＵＲＬ、商品コード及びデータベースインデックス情報を格納する（Ｓ１５０２）。前述したように、データベースの制御はデータベース管理モジュールによりなされる。
【００７６】
プロキシサーバ１１０からアドレス接続要請メッセージが受信されると、アドレス接続サーバ１１２は、アドレス接続要請メッセージから商品コードを抽出する（Ｓ１５０４）。アドレス接続サーバ１１２は、データベース内でその商品コードに該当するＵＲＬ情報を検索する（Ｓ１５０６）。ＵＲＬが見つかると、アドレス接続サーバ１１２は、アドレス接続応答メッセージを生成してこれをプロキシサーバに送信する（Ｓ１５０８）。
【００７７】
図１６は、この発明の好ましい実施例に係るアドレス登録サーバの動作を示すフローチャートである。図１６に示されているように、まずアドレス登録サーバ１１６は、商品登録サーバ１１８から商品コード生成要請メッセージを受信する（Ｓ１６００）。  商品コード生成要請メッセージが受信されると、アドレス登録サーバ１１６は、コード生成モジュールに定められた方式に従って、商品コード生成要請メッセージに含まれたＵＲＬに対応する商品コードを生成する。前述したように、商品コードは「５６７８９」のような数字の組合せからなされることができ、数字と文字を組み合わせた場合も可能である。
【００７８】
商品コードが生成されると、アドレス登録サーバ１１６は、販売者が提供したＵＲＬ及びそれに対応するように生成した商品コードを含むアドレス登録要請メッセージをアドレス接続サーバ１１２に送信する（Ｓ１６０４）。その後、アドレス登録サーバ１１６は、アドレス接続サーバから、ＵＲＬ及び商品コードの登録結果を確認するアドレス登録応答メッセージを受信する（Ｓ１６０６）。
【００７９】
アドレス登録応答メッセージ受信結果、成功的に登録がなされると、アドレス登録サーバ１１８は、商品管理サーバ１１８に生成されたコード情報を送信する（Ｓ１６０８）。その後、商品管理サーバ１１８は生成されたコード情報を販売者だけでなくこのシステムの運営者にも提供する。販売者は生成されたコードをカタログや放送などに公示することによって使用者らが移動通信端末機で商品コード及び注文コードを入力することのみで該当商品を販売するサイトに接続できるようにする。
【００８０】
本発明の好ましい実施例について説明したが、本発明の趣旨及び範囲は添付の請求の範囲に基づいて決められる。また、上記の実施例を本発明の趣旨及び範囲内において改良または変更してもよいことは当業者にとって明らかであろう。
【産業上の利用可能性】
【００８１】
以上で説明したように、この発明に係る商品注文システム及び方法によると、使用者が商品販売ウェブサイトを移動通信端末機を介して手動で検索する必要がなく、使用者のウェブサイト検索時間が低減できる。
【００８２】
また、この発明によると、商品コードを入力した後にウェブブラウザが起動されて商品販売サイトが表示されるので無線インターネットに接続した後に商品を購入する従来の場合よりインターネット使用時間が短くなるので、インターネットの使用にかかるサービス料金を低減できる。
【図面の簡単な説明】
【００８３】
【図１】この発明の好ましい実施例に係る商品注文システムのブロック図である。
【図２】この発明の好ましい実施例に係るプロキシサーバのブロック図である。
【図３】この発明の好ましい実施例に係るアドレス接続サーバのブロック図である。
【図４】この発明の好ましい実施例に係る商品管理サーバのブロック図である。
【図５】この発明の好ましい実施例に係る移動通信端末機から送信される商品購入メッセージのパケット構造を示す。
【図６】この発明の好ましい実施例に係るアドレス接続要請メッセージのパケット構造を示す。
【図７】この発明の好ましい実施例に係るアドレス接続応答メッセージのパケット構造を示す。
【図８】この発明の好ましい実施例に係るアドレス登録要請メッセージのパケット構造を示す。
【図９】この発明の好ましい実施例に係るアドレス登録応答メッセージのパケット構成を示す。
【図１０】この発明の好ましい実施例に係る商品コード生成要請メッセージのパケット構成を示す。
【図１１】この発明の好ましい実施例に係る商品コード生成応答メッセージのパケット構成を示す。
【図１２】この発明の好ましい実施例に係る移動通信端末機を利用した商品注文方法を示すフローチャートである。
【図１３】この発明の好ましい実施例に係る移動通信端末機の動作を示すフローチャートである。
【図１４】この発明の好ましい実施例に係るプロキシサーバの動作を示すフローチャートである。
【図１５】この発明の好ましい実施例に係るアドレス接続サーバの動作を示すフローチャートである。
【図１６】この発明の好ましい実施例に係るアドレス登録サーバの動作を示すフローチャートである。
【図１】
2005517247.tif 000003
【図２】
2005517247.tif 000004
【図３】
2005517247.tif 000005
【図４】
2005517247.tif 000006
【図５】
2005517247.tif 000007
【図６】
2005517247.tif 000008
【図７】
2005517247.tif 000009
【図８】
2005517247.tif 000010
【図９】
2005517247.tif 000011
【図１０】
2005517247.tif 000012
【図１１】
2005517247.tif 000013
【図１２】
2005517247.tif 000014
【図１３】
2005517247.tif 000015
【図１４】
2005517247.tif 000016
【図１５】
2005517247.tif 000017
【図１６】
2005517247.tif 000018
【国際調査報告】
2005517247.tif 000019